(57)【要約】【課題】  民生用電子装置のデータを、低コストで互換性の問題なく、保管又はバックアップする。【解決手段】  周辺インタフェース（１４）（例えば、ユニバーサル・シリアル・バス）で「ホスト」またはマスタとして動作するよう適合された光学データ記憶装置（１０）により、パーソナルコンピュータ等を必要とすることなく、ＣＤ−Ｒ等の標準光学記憶媒体（１３）を備えた装置に直接接続されたデジタルスチルカメラ（ＤＳＣ）等の民生用電子装置（１６）からのデータの格納が容易（自動および単一ボタン起動）となる。画像を解凍およびドライブメモリ（２２）内に格納（１１）し、標準フォーマットであるＭＰＥＧ−１（変換）に再圧縮する。変換された画像は、各静止画像を別々の画像フレームとして書き込むフォーマットで光学媒体（１３）に記録される。標準フォーマットはビデオＣＤ（またはＶＣＤ）規格と互換性を有する。本発明はまた、２個の周辺インタフェースを有しており、両方でホストとして動作し、ＨＤＤまたはフラッシュメモリを含む別個のまたはその他の形式のデータ記憶装置を利用できるよう適合された（１８）装置を提供する。
2005539306.tif 000002
【特許請求の範囲】
【請求項１】
周辺インタフェースで「ホスト」またはマスタとして動作するよう適合された記憶装置。
【請求項２】
記憶装置は光学記憶装置であることを特徴とする請求項１記載の記憶装置。
【請求項３】
請求項1または２のいずれかに記載の記憶装置からなる装置。
【請求項４】
記憶媒体（１３）にデータを書き込むデータ書き込み手段（１２）と、周辺装置（１６）とのデータ転送のための周辺インタフェース（１４）とからなり、「ホスト」として動作する装置。
【請求項５】
周辺インタフェースで「ホスト」またはマスタとして動作するよう適合された装置で、装置はさらに接続された周辺装置を自動的に検出し、接続された周辺装置から記憶媒体へデータを転送するよう適合された装置。
【請求項６】
周辺装置（１６）とのデータ転送のための第１周辺インタフェース（１４）と、記憶装置（３８）とのデータ転送のための第２周辺インタフェース（１４）とからなり、第１および第２周辺インタフェースで「ホスト」またはマスタとして動作するよう適合された請求項５記載の装置。
【請求項７】
記憶媒体は光学媒体であることを特徴とする請求項３から６のいずれかに記載の装置。
【請求項８】
光学媒体は光学ディスクであることを特徴とする請求項７に記載の装置。
【請求項９】
装置はさらに周辺装置で転送されたファイルを自動的に削除するよう適合されることを特徴とする前項いずれかに記載の装置。
【請求項１０】
装置はさらに、単一ユーザ入力に対応してデータを転送するよう適合されることを特徴とする前項いずれかに記載の装置。
【請求項１１】
装置はさらに、単一ユーザ入力に対応してデータ転送を検証するよう適合されることを特徴とする前項いずれかに記載の装置。
【請求項１２】
装置はさらに、単一ユーザ入力に対応して転送されたファイルを削除するよう適合されることを特徴とする前項いずれかに記載の装置。
【請求項１３】
単一ユーザ入力は、装置への単一ボタン押し下げであることを特徴とする請求項１０から１２のいずれかに記載の装置。
【請求項１４】
装置上のボタンは、データの転送、検証または削除のいずれか１つのみを誘発することを特徴とする前項いずれかに記載の装置。
【請求項１５】
装置はさらに、ホスト機能を提供するための周辺インタフェースホストモジュール（１８）からなることを特徴とする前項いずれかに記載の装置。
【請求項１６】
ホストモジュールは、ファームウェアまたはコーディングモジュール（２０）によって制御されることを特徴とする請求項１４記載の装置。
【請求項１７】
周辺インタフェースのフォーマットは、周辺装置からＰＣへデータを転送するためのフォーマットであることを特徴とする請求項１５から１６のいずれかに記載の装置。
【請求項１８】
装置はさらに、メモリからなり、データは画像からなり、装置はさらに、メモリ（２２）内に標準フォーマットに変換された解凍画像を保存するよう適合されることを特徴とする前項いずれかに記載の装置。
【請求項１９】
変換した画像は、各静止画像を別々の画像フレームとして書き込むフォーマットで記憶媒体に記録することを特徴とする請求項１８に記載の装置。
【請求項２０】
装置はさらに、ピア・ツー・ピア転送により受信したデータを変換し、標準フォーマットの記憶媒体を生成するよう適合されることを特徴とする前項いずれかに記載の装置。
【請求項２１】
装置はさらに、周辺装置から受信したデータを第１フォーマットから第２フォーマットへ変換するための変換モジュール（３０）からなることを特徴とする前項いずれかに記載の装置。
【請求項２２】
装置は、周辺装置から受信したデータを複数のフォーマットに直接変換またはコピーして記憶媒体に保存するよう適合されることを特徴とする前項いずれかに記載の装置。
【請求項２３】
記憶媒体は、マルチセッションディスクである光学ディスクで、各フォーマットは別々のセッションとして保存されることを特徴とする請求項２２記載の装置。
【請求項２４】
周辺装置の接続を自動的に検出するステップと、接続された周辺装置からデータを受信するステップと、データを記憶媒体に転送するステップとからなるデータ格納方法。
【請求項２５】
記憶媒体は光学媒体であることを特徴とする請求項２４記載の方法。
【請求項２６】
転送ステップが自動であることを特徴とする請求項２４から２５のいずれかに記載の方法。
【請求項２７】
転送ステップは、単一ユーザ入力に対応するものであることを特徴とする請求項２４から２６のいずれかに記載の方法。
【請求項２８】
方法はさらに、周辺装置上の転送されたファイルを検証するステップからなることを特徴とする請求項２４から２７のいずれかに記載の方法。
【請求項２９】
検証ステップは自動であることを特徴とする請求項２４から２８のいずれかに記載の方法。
【請求項３０】
検証ステップは、単一ユーザ入力に対応するものであることを特徴とする請求項２４から２９のいずれかに記載の方法。
【請求項３１】
方法はさらに、周辺装置上の転送ファイルを削除するステップからなることを特徴とする請求項２４から３０のいずれかに記載の方法。
【請求項３２】
削除ステップは自動であることを特徴とする請求項２４から３１のいずれかに記載の方法。
【請求項３３】
削除ステップは、単一ユーザ入力に対応するものであることを特徴とする請求項２４から３２のいずれかに記載の方法。
【請求項３４】
単一ユーザ入力は、単一ボタン押し下げであることを特徴とする請求項２４から３３のいずれかに記載の方法。
【請求項３５】
単一ユーザ入力は、データの転送、検証または削除のいずれか１つのみを誘発するボタンへの単一ボタン押し下げであることを特徴とする請求項３４に記載の方法。
【請求項３６】
データは画像からなり、方法はさらに、画像を解凍し、標準フォーマットに変換するステップからなることを特徴とする請求項２４から３５のいずれかに記載の方法。
【請求項３７】
方法はさらに、複数の変換済み画像を、各静止画像を別々の画像フレームとして書き込むフォーマットの記憶媒体に記録するステップからなることを特徴とする請求項２４から３６のいずれかに記載の方法。
【請求項３８】
方法はさらに、ピア・ツー・ピア転送で受信したデータを変換するステップと、標準フォーマットの記憶媒体を生成するステップとからなることを特徴とする請求項２４から３７のいずれかに記載の方法。
【請求項３９】
方法はさらに、周辺装置から受信したデータを複数のフォーマットに直接変換またはコピーして記憶媒体に保存するステップとからなることを特徴とする請求項２４から３８のいずれかに記載の方法。
【請求項４０】
方法はさらに、各フォーマットをマルチセッション光学ディスク上の別々のセッションとして保存するステップからなることを特徴とする請求項２４から３９のいずれかに記載の方法。
【発明の詳細な説明】
【技術分野】
【０００１】
本発明は、データ記憶装置、特に光学その他種類の記憶装置のインタフェース制御およびデータ記録に関する。
【背景技術】
【０００２】
光学記憶媒体のすべてのバラエティのデータファイルの保存には、現在、記憶媒体と保存するデータのソースとの間のインタフェースを制御するためパーソナルコンピュータの利用が必要である。本発明は、パーソナルコンピュータの必要性をなくす。さらに、本発明を用いて、その他の形式のデータ記憶装置を接続することができる。
【０００３】
最近５年間のデジタル民生用電子装置の成長は爆発的なものであった。消費者の利用可能な機能の増加が、この成長を促進した。デジタルスチルカメラ（ＤＳＣ）の例を考えると、消費者は、「現像」段階の必要なしに、撮影したばかりの写真を即座に見たり消したり、場合によっては修正したりする能力に引き付けられてきた。消費者はさらに、パーソナルコンピュータ（ＰＣ）に接続された低コストプリンタで「写真品質」画像を生成することができる。最近の開発では、スタンドアロンのプリンタが導入され、ＤＳＣに直接接続可能であったり、カメラに用いられる通常のフラッシュメディア直接接続することができたりする。これにより、画像印刷のためのＰＣの必要性がなくなる。
【０００４】
生成されたデジタル画像の保管は、高コストや容量の制限があるため、ＤＳＣ内やこれらカメラ内で用いるフラッシュメディア内では行わない。そのため、デジタル画像は主にハードディスクドライブ（ＨＤＤ）で保存するためにＰＣに転送され、最終的には代表的なアプリケーションによって光学データ記憶の形式で保管またはバックアップされる。
【発明の開示】
【発明が解決しようとする課題】
【０００５】
デジタルカメラの所有者には２つの大きな問題がある、すなわちそれは彼らが購入するデジタルカメラに付いている専用フラッシュメディアカードの容量とコスト、および撮影した最終画像の共有と表示の容易さである。これは「標準仕様」がないことと民生用電子（ＣＥ）装置の互換性の制約があることによるものである。
【０００６】
データ転送とそれに伴うユーザーの操作を支配するパーソナルコンピュータを不要とすることは有用である。
【０００７】
本発明の目的は、記憶装置（ＣＤ−ＲＷ、ＤＶＤ  ＲＷドライブ、ＨＤＤまたはフラッシュメモリ等）と民生用電子装置との直接接続を提供することである。
【課題を解決するための手段】
【０００８】
本発明の第１の側面によると、周辺インタフェースで「ホスト」またはマスタとして動作するよう適合された記憶装置が提供される。
【０００９】
記憶装置は、光学記憶装置であることが望ましい。
【００１０】
記憶装置からなる装置が提供されることが望ましい。
【００１１】
本発明の第２の側面によると、記憶媒体（１３）にデータを書き込むデータ書き込み手段（１２）と、周辺装置（１６）とのデータ転送のための周辺インタフェース（１４）とからなり、「ホスト」として動作する装置が提供される。
【００１２】
本発明の第３の側面によると、周辺インタフェースで「ホスト」またはマスタとして動作するよう適合された装置が提供され、その装置はさらに、接続された周辺装置を自動的に検出し、接続された周辺装置から記憶媒体へデータを転送するよう適合される。
【００１３】
装置は、周辺装置（１６）とのデータ転送のための第１周辺インタフェース（１４）と、記憶装置（３８）とのデータ転送のための第２周辺インタフェース（１４）とからなり、装置は第１および第２周辺インタフェースで「ホスト」またはマスタとして動作するよう適合されることが望ましい。
【００１４】
一般に、記憶媒体は光学媒体である。
【００１５】
光学媒体は光学ディスクであることが望ましい。
【００１６】
装置はさらに、周辺装置上の転送ファイルを自動的に削除するよう適合することができる。
【００１７】
装置はさらに、単一ユーザ入力に対応してデータを転送するよう適合することができる。
【００１８】
装置はさらに、単一ユーザ入力に対応してデータ転送を検証するよう適合することができる。
【００１９】
装置はさらに、単一ユーザ入力に対応して転送ファイルを削除するよう適合することができる。
【００２０】
単一ユーザ入力は、装置上の単一のボタン押し下げであることが望ましい。
【００２１】
装置上のボタンは、データの転送、検証または削除のいずれか１つのみを誘発するものであることが望ましい。
【００２２】
装置はさらに、ホスト機能を提供するための周辺インタフェースのホストモジュール（１８）からなることが望ましい。
【００２３】
ホストモジュールは、ファームウェアまたはコーディングモジュール（２０）によって制御することが望ましい。
【００２４】
周辺インタフェースのフォーマットは、周辺装置からＰＣへのデータ転送のフォーマットであることが望ましい。
【００２５】
装置はさらに、メモリからなり、データは画像からなり、装置はさらにメモリ（２２）内で標準フォーマットに変換された解凍画像を保存するよう適合することができる。
【００２６】
変換画像は、各静止画像を別々の画像フレームとして書き込むフォーマットで記憶媒体に記録することが望ましい。
【００２７】
装置はさらに、ピア・ツー・ピア転送によって受信したデータを変換し、標準フォーマットの記憶媒体を生成するよう適合することが望ましい。
【００２８】
装置はさらに、周辺装置から受信したデータを第１フォーマットから第２フォーマットへ変換するための変換モジュール（３０）からなることが望ましい。
【００２９】
装置は、周辺装置から受け取り、複数のフォーマットに直接変換またはコピーしたデータを記憶媒体に保存するよう適合することができる。
【００３０】
記憶媒体は、マルチセッションディスクであって、各フォーマットは別々のセッションとして保存される光学ディスクが望ましい。
【００３１】
本発明の第４の側面によると、周辺装置の接続を自動的に検出するステップと、
接続された周辺装置からデータを受信するステップと、データを記憶媒体に転送するステップとからなるデータ記憶方法が提供される。
【００３２】
一般に、記憶媒体は光学媒体である。
【００３３】
転送ステップは自動であることが望ましい。
【００３４】
あるいは、転送ステップは、単一ユーザ入力に対応するものである。
【００３５】
この方法はさらに、周辺装置上で転送ファイルを検証するステップからなることができる。
【００３６】
検証ステップは自動であることが望ましい。
【００３７】
あるいは、検証ステップは、単一ユーザ入力に対応するものである。
【００３８】
この方法はさらに、周辺装置上で転送ファイルを削除するステップからなることができる。
【００３９】
削除ステップは自動であることが望ましい。
【００４０】
あるいは、削除ステップは、単一ユーザ入力に対応するものである。
【００４１】
単一ユーザ入力は単一ボタン押し下げであることが望ましい。
【００４２】
単一ユーザ入力は、データの転送、検証または削除のいずれか１つのみを誘発するボタンの単一ボタンの押し下げであることが望ましい。
【００４３】
データは画像からなることができ、この方法はさらに、画像の解凍と、その標準フォーマットへの変換のステップからなることができる。
【００４４】
この方法はさらに、複数の変換化画像を、各静止画像を別々の画像フレームとして書き込むフォーマットで記憶媒体に記録するステップからなることが望ましい。
【００４５】
この方法はさらに、ピア・ツー・ピア転送で受信したデータを変換して、標準フォーマットの記憶媒体を生成するステップからなることが望ましい。
【００４６】
この方法はさらに、周辺装置から受け取り、複数のフォーマットに直接変換またはコピーしたデータを記憶媒体に保存するステップからなることができる。
【００４７】
この方法はさらに、マルチセッション光学ディスク上で、別々のセッションとして各フォーマットを保存するステップからなることが望ましい。
【発明の効果】
【００４８】
本発明は、ユーザインタフェース（ユニバーサル・シリアル・バス、ＵＳＢ等）で「ホスト」またはマスタデバイスとして動作可能な光学データ記憶装置である。この装置がホストとして動作可能であると、データファイルをデータソース（例：デジタルカメラまたはパーソナル・データ・アシスタント、ＰＤＡ）から要求し、パーソナルコンピュータの必要なしに光学ディスク等の光学媒体に保存することができる。これは、ピア・ツー・ピア通信として知られる。
【００４９】
本発明はまた、光学データ記憶装置と民生用電子装置との間のピア・ピア通信中に受信したデータファイルの変換方法を含み、容易に読み取り可能な標準フォーマットのデータディスクの作成を可能にする。データディスクは多くのフォーマットで生成することができる。用途の一例は、ビデオディスク（Ｐｈｉｌｉｐｓ−Ｓｏｎｙの標準フォーマット）、またはやはり標準フォーマットのＩＳＯ９６６０ディスクの作成である。追加例として、ビデオディスクフォーマットでセッションと、ＩＳＯ９６６０フォーマットのセッションを持つ「マルチセッション」ディスクの作成がある。ＶＣＤによって、ＤＶＤ−ビデオプレイヤー等の民生用電子装置との最大の互換性が可能になる。
【発明を実施するための最良の形態】
【００５０】
本発明をよりよく理解できるよう、これより次に添付の図面を参照し、例としてのみ実施例を説明する。
【００５１】
図１を参照すると、光学データ記憶装置（１０）が示されている。この装置は、光学ディスク（１３）にデータを書き込むためのデータ書き込み手段（１２）と、周辺装置（１６）へのデータ転送のための周辺インタフェース（１４）とからなり、光学データ記憶装置は「ホスト」として動作する。
【００５２】
光学データ記憶装置は、ホスト機能を提供するための周辺インタフェースホストモジュール（１８）からなる。これは、ＵＳＢホストＩＣである。ホストモジュールは、ファームウェアスタックまたはコーディングモジュール（２０）によって制御する。
【００５３】
装置内の内蔵ファームウェアによって、接続されたデジタルカメラ（またはその他の記憶装置）の自動検出を可能にし、これは自動的に動作するようセットアップが可能で、カメラの検出により、目的とするドライブ（ＣＤＲ等）に検出したファイルを保存する。装置はさらに、書き込んだファイルがソースファイルと一致することを、ビット・ビット比較を実行することにより自動的に検証可能である。別のモードのオペレーションでは、ユーザがソース（デジタルカメラ等）の検出後、単一ボタン（３２）を押す必要がある。この単一ボタン押し下げによって、データファイルの転送と検証が可能になる。さらに別のモードのオペレーションでは、データ転送（３２）のためのボタンと、検証（３４）のためのボタンが必要である。これらのボタンは専用またはソフトキーでよい。ファームウェアの状態（デバイスの検索、データの転送、検証）は、３色ＬＥＤまたはＬＣＤインタフェース（３６）を介して表示可能である。画像は、自動的にまたはボタン押し下げによってソースデバイスから削除することができる。
【００５４】
内蔵ファームウェアは、低コストで低電力のプロセッサ（例えばＡＲＭ７）で動作するよう最適化される。このファームウェアは、データのソースの検出並びに対象記憶装置（例：ＣＤ−Ｒ）上のファイル構造作成の制御を可能にするオペレーティングシステムからなる。これにより、必要なパーツ数を減らし、低コストで持ち運び可能な製品での動作を可能にする。
【００５５】
周辺インタフェースのフォーマットは、周辺デバイスからＰＣへのデータ転送のフォーマットである。周辺インタフェースはユニバーサル・シリアル・バス、バージョン１．１またはユニバーサル・シリアル・バス、バージョン２．０である。
【００５６】
ユニットは、バッテリー電源（２６）から、または周辺コネクタ（１４）を介して、または別の電源（２８）から電力を供給される。
【００５７】
画像は、ＩＳＯ９６６０規格に準拠するフォーマットで光学メディアに保存される。
【００５８】
画像はドライブメモリ（２２）内で解凍および保存され、標準フォーマット、ＭＰＥＧ−１に再圧縮される（変換）。
【００５９】
あるいは、画像はドライブメモリ（２２）を介してディスクに直接転送することができる。
【００６０】
変換された画像は、各静止画像を別々の画像フレームに書き込むフォーマットで光学メディア（１３）に記録する。標準フォーマットは、ビデオＣＤ（またはＶＣＤ）規格と互換である。
【００６１】
周辺デバイスは、ＰＣにデジタルデータを転送するデバイス、例えば、デジタルスチルカメラ（ＤＳＣ）、デジタルビデオカメラ、パーソナルデジタルアシスタント（ＰＤＡ）、携帯電話等である。
【００６２】
デバイスはさらに、ピア・ツー・ピア転送で受信したデータを変換し、標準フォーマットの光学ディスクを生成するよう適合される。このため、デバイスはさらに、周辺装置から受信したデータを、第１フォーマットから第２フォーマットに変換するための変換モジュール（３０）からなる。
【００６３】
デバイスは、周辺装置から受信したデータを複数のフォーマットに変換または直接コピーしてディスク（１３）に保存するよう適合される。ディスクは、各フォーマットを別々のセッションとして保存するマルチセッションディスクでよい。さらに、記録は、必要なサイズが単一ディスクより大きい場合、多数のディスクにまたがらせることができる。
【００６４】
好ましい実施例は、画像ダウンロード機能のあるポータブルＣＤ−ＲＷである。本発明により、ユーザはあらゆるＵＳＢデジタルスチルカメラを、英国、ＤｕｎｆｅｒｍｌｉｎｅのＩｎｆｉｎｉｔｅ  Ｄａｔａ  Ｓｔｏｒａｇｅ  Ｌｔｄ社から出ている１２ｃｍ「Ｃａｌｙｐｓｏ」や８ｃｍ「Ｓａｍｂａ」ポータブルＣＤＲおよびＣＤ−ＲＷデバイス等の画像ダウンロード機能を使用可能にしたポータブルデバイスに直接接続することができる。
【００６５】
本発明により、移動中のユーザにとって、低コストのＣＤへの保存およびファイル共有が可能になる。家族の休日には、保持すべき写真数を制限する必要がなくなる。
【００６６】
高価な交換用フラッシュカードを利用したり、ラップトップＰＣを持っていく代わりに、自分のデジタルカメラから１枚５０セントもしないＣＤへ直接に好きなだけ焼くことが出来る。ＣＤを用いて自分の写真を保管したり、さらには、自宅のＤＶＤプレイヤーと互換のフォーマットとして、ＴＶで直接自分の画像を見ることができる。もはやＰＣは必要ではない。
【００６７】
デジタル画像ダウンロード技術により、ＵＳＢカメラを持つ消費者は、各種ＰＣおよび民生電子装置でアクセス可能な非常に低コストのメディアに容易に画像を保存できる。ＣＤ−ＲＷドライブの内蔵ソフトウェア画像フォーマット変換により、ＶＣＤ上またはＣＤ／ＤＶＤプレイヤーまたはレコーダーで再生可能なＩＳＯ９６６０互換ディスクでの画像の作成が可能になる。さらに、マルチフォトビデオ互換性の包含により、ホームＤＶＤビデオプレイヤーでの画像のアクセスがさらに容易になる。ＣＤのマスタ作成や焼付けなど、通常はＰＣでのみ可能なアプリケーションを、本発明によるＡＲＭ７ｔｄｍｉ等の内蔵プロセッサ（２２）でおこなうことができる。
【００６８】
そのため、本発明により、パーソナルコンピュータの必要なしに標準光学記憶媒体にデータを容易に保存することができる。
【００６９】
本発明により、パーソナルコンピュータの必要なしに、データ保存のための標準ディスクフォーマットの作成が可能になる。
【００７０】
本発明により、異なるフォーマットで保存した同一データでマルチセッションディスクを作成でき、互換性が最大化する。
【００７１】
用途の一例は、ユーザの移動中またはパーソナルコンピュータにアクセスできない間、または簡単な利用法を探している場合のデジタルカメラからのデジタル画像のバックアップである。
【００７２】
本発明は、ＰＣの必要性をなくし、光学媒体上でカメラ内で生成した画像のコピーと保管を可能にする。さらに、画像を異なるフォーマットで保存し、保存した画像の容易な利用と相互交換可能性を可能にする。代表例は、ＪＰＥＧフォーマット（ＤＳＣからの画像の代表的フォーマット）およびＩＳＯ９６６０標準ファイル構造での画像の保存である。ＩＳＯ９６６０標準により、ＰＣの種類（ＩｎｔｅｌベースとＡｐｐｌｅコンピュータ等）の容易な相互交換が可能になる。また、本発明によると、１つの画像エンコーディング標準と別の（変換）の間、例えばＪＰＥＧからＭＰＥＧ標準フォーマットへの変換能力が与えられ、その後のビデオＣＤ（またはＶＣＤ）フォーマット／規格でのファイルの作成や記録が可能になる。ＶＣＤフォーマット／規格により、静止画像を、例えば好適に使用可能にしたＤＶＤビデオプレイヤー内で見ることができ、これにより、ＤＳＣの所有者がＰＣも所有する必要がなくなる。さらに、本発明により、同じデータの複数のコピーを作成し、共有等が可能になる。
【００７３】
上に挙げた例はＤＳＣのものであるが、パーソナルデジタルアシスタント（ＰＤＡ）やデジタルビデオカメラ等の他の民生用電子装置にも同様に適用できる。デジタルデータ、画像またはオーディオを接続および転送する他の民生用電子装置も、このような光学データ記憶装置に直接接続することができる。
【００７４】
他にも多くの実施例を予測できる。例えば、図２を参照すると、上記実施例の単純化により、データ書き込み手段（４０）と、光学ディスク（４２）と、ディスクを駆動するための駆動手段（図示せず）とからなるデータ書き込みコンポーネント（３８）を持たないデバイスが与えられる。すなわち、周辺インタフェース（１４）、周辺インタフェースホストモジュール（１８）、ファームウェアスタックまたはコーディングモジュール（２０）、ドライブメモリ（２２）、メモリ（２４）、変換モジュール（３０）、バッテリー電源（２６）および別々の電源（２８）、ボタン（３２、３４）およびディスプレイ（３６）とからなるデバイスである。このデバイスはさらに、他の別々の周辺デバイス、すなわち、ＣＤ−ＲやＣＤ−ＲＷドライブ、ＤＶＤまたはＤＶＤ−ＲＷドライブまたはレコーダー、ＨＤＤまたはフラッシュメモリ等のデータ記憶装置に接続するため、上記周辺インタフェース（１４）のような少なくとも１個の別の周辺インタフェース（４４）からなる。デバイスは両周辺インタフェース上でホストとして動作するため、別々のデータ記憶装置（３８）と、デジタルスチルカメラのような周辺デバイス（１６）を制御する。
【００７５】
この実施例により、ＰＣの既存周辺デバイスを含む各種データ記憶装置の利用が可能になる。これは、ユーザが目的に合わせて好ましいものを選択でき、ユーザが既に持っている周辺デバイスを利用できるためコストが下がり、デバイス自体が簡易化されるため、有利である。当然ながら、この実施例は上述の有利さを減少させない。
【００７６】
さらなる修正および改良は、本書に述べる本発明の範囲から逸脱せずに追加できる。
【図面の簡単な説明】
【００７７】
【図１】本発明の好適な実施例に従って、記憶装置を略図で示したものである。
【図２】本発明の別の好適な実施例に従って、別個に記憶装置のある装置を略図で示したものである。
【符号の説明】
【００７８】
１２  データ書き込み
１４  周辺装置のインタフェース
１６  周辺装置
１８  ホストモジュール
２０  データ格納／コーディングモジュール
２２  ドライブメモリ
２４  メモリ
３０  内蔵モジュール
４０  データ書き込み手段
４４  周辺装置のインタフェース
【図１】
2005539306.tif 000003
【図２】
2005539306.tif 000004
【国際調査報告】
2005539306.tif 000005
2005539306.tif 000006
2005539306.tif 000007